(57)【要約】【課題】携帯通信端末の情報を利用してユーザの緊張度を検出する。【解決手段】メール及びスケジュール機能を有する通信端末の緊張度解析装置に、仕事用及びプライベート用のスケジュールを分けて保存するスケジュール部121と、仕事用及びプライベート用の送受信メールを分けて保存するメール部123と、キーワードに対して緊張度を保存する緊張度キーワード辞書部122と、仕事用及びプライベート用のスケジュールとキーワードを照合したキーワードに対する緊張度を算出するスケジュール・緊張度キーワード照合部132と、各メール文とキーワードを照合したキーワードに対する緊張度を算出する緊張度キーワード・メール照合部134と、各メール文とスケジュールをそれぞれ照合したキーワードに対する緊張度を算出するスケジュール・メール照合部133と、緊張度を合計する緊張度スコア算出・統合部131とを備える。【選択図】図１
2009110308.tif 000002
【特許請求の範囲】
【請求項１】
メール及びスケジュール機能を有する通信端末の緊張度解析装置において、
仕事用のスケジュール及びプライベート用のスケジュールを分けて保存するスケジュール部と、
仕事用の送受信メール及びプライベート用の送受信メールを分けて保存するメール部と、
キーワードに対してスケジュール緊張度及びメール緊張度を分け、前記スケジュール緊張度及びメール緊張度に対して仕事用のキーワードの緊張度をプラスとし、プライベート用のキーワードの緊張度をマイナスとして保存する緊張度キーワード辞書部と、
前記スケジュール部に保存されている仕事用のスケジュール及びプライベート用のスケジュールと前記緊張度キーワード辞書部に保存されているキーワードをパターンマッチで比較して照合し、照合したキーワードに対する緊張度を算出するスケジュール・緊張度キーワード照合部と、
前記メール部に保存されている仕事用の送受信メール及びプライベート用の送受信メールの各メール文を形態素解析し、形態素解析された仕事用の送受信メール及びプライベート用の送受信メールの各メール文と前記緊張度キーワード辞書部に保存されているキーワードをパターンマッチで比較して照合し、照合したキーワードに対する緊張度を算出する緊張度キーワード・メール照合部と、
前記メール部に保存されている仕事用の送受信メール及びプライベート用の送受信メールの各メール文を形態素解析し、形態素解析された仕事用の送受信メール及びプライベート用の送受信メールの各メール文と前記スケジュール部に保存されている仕事用のスケジュール及びプライベート用のスケジュールをそれぞれパターンマッチで比較して照合し、照合したキーワードに対する緊張度を算出するスケジュール・メール照合部と、
前記スケジュール・緊張度キーワード照合部、前記緊張度キーワード・メール照合部及びスケジュール・メール照合部のそれぞれで算出された緊張度を合計する緊張度スコア算出・統合部とを備えることを特徴とする緊張度解析装置。
【請求項２】
前記緊張度キーワード辞書部に保存されるスケジュール緊張度の絶対値はメール緊張度の絶対値よりも大きくすることを特徴とする、請求項１に記載の緊張度解析装置１００。
【請求項３】
前記スケジュール緊張度の絶対値は前記メール緊張度の絶対値の１０倍とすることを特徴とする、請求項２に記載の緊張度解析装置。
【請求項４】
前記スケジュール・緊張度キーワード照合部では仕事用のスケジュールが間近に迫った場合には仕事用のスケジュールの緊張度を上げて緊張度を算出することを特徴とする、請求項１に記載の緊張度解析装置。
【請求項５】
間近に迫った仕事用のスケジュールは1週間以内の仕事のスケジュールとし、上げる緊張度の程度は２倍とすることを特徴とする、請求項４に記載の緊張度解析装置。
【請求項６】
前記緊張度キーワード・メール照合部及び前記スケジュール・メール照合部では、仕事用の送受信メールが直近の場合には、仕事用の送受信メールに対して照合したキーワードに対する緊張度を上げることを特徴とする、請求項１に記載の緊張度解析装置。
【請求項７】
上げる緊張度の程度は２倍とすることを特徴とする、請求項６に記載の緊張度解析装置。
【請求項８】
前記スケジュール部に対して、スケジュールの登録を行う時に、前記緊張度キーワード辞書部に対してキーワードとその緊張度を合わせて追加登録可能とすることを特徴とする、請求項１に記載の緊張度解析装置。
【請求項９】
メール及びスケジュール機能を有する通信端末の緊張度解析方法において、
キーワードに対してスケジュール緊張度及びメール緊張度を分け、前記スケジュール緊張度及びメール緊張度に対して仕事用のキーワードの緊張度をプラスとし、プライベート用のキーワードの緊張度をマイナスとして保存する緊張度キーワード辞書部を形成する工程と、
仕事用のスケジュール及びプライベート用のスケジュールを分けて保存する工程と、
仕事用の送受信メール及びプライベート用の送受信メールを分けて保存する工程と、
保存されている仕事用のスケジュール及びプライベート用のスケジュールと前記緊張度キーワード辞書部に保存されているキーワードをパターンマッチで比較して照合し、照合したキーワードに対する緊張度を算出する工程と、
保存されている仕事用の送受信メール及びプライベート用の送受信メールの各メール文を形態素解析し、形態素解析された仕事用の送受信メール及びプライベート用の送受信メールの各メール文と前記緊張度キーワード辞書部に保存されているキーワードをパターンマッチで比較して照合し、照合したキーワードに対する緊張度を算出する工程と、
保存されている仕事用の送受信メール及びプライベート用の送受信メールの各メール文を形態素解析し、形態素解析された仕事用の送受信メール及びプライベート用の送受信メールの各メール文と保存されている仕事用のスケジュール及びプライベート用のスケジュールをそれぞれパターンマッチで比較して照合し、照合したキーワードに対する緊張度を算出する工程と、
算出された各緊張度を合計する工程とを備えることを特徴とする緊張度解析方法。
【請求項１０】
メール及びスケジュール機能を有する通信端末の緊張度解析プログラムにおいて、
キーワードに対してスケジュール緊張度及びメール緊張度を分け、前記スケジュール緊張度及びメール緊張度に対して仕事用のキーワードの緊張度をプラスとし、プライベート用のキーワードの緊張度をマイナスとして保存する緊張度キーワード辞書を形成する手順と、
仕事用のスケジュール及びプライベート用のスケジュールを分けて保存する手順と、
仕事用の送受信メール及びプライベート用の送受信メールを分けて保存する手順と、
保存されている仕事用のスケジュール及びプライベート用のスケジュールと前記緊張度キーワード辞書に保存されているキーワードをパターンマッチで比較して照合し、照合したキーワードに対する緊張度を算出する手順と、
保存されている仕事用の送受信メール及びプライベート用の送受信メールの各メール文を形態素解析し、形態素解析された仕事用の送受信メール及びプライベート用の送受信メールの各メール文と前記緊張度キーワード辞書に保存されているキーワードをパターンマッチで比較して照合し、照合したキーワードに対する緊張度を算出する手順と、
保存されている仕事用の送受信メール及びプライベート用の送受信メールの各メール文を形態素解析し、形態素解析された仕事用の送受信メール及びプライベート用の送受信メールの各メール文と保存されている仕事用のスケジュール及びプライベート用のスケジュールをそれぞれパターンマッチで比較して照合し、照合したキーワードに対する緊張度を算出する手順と、
算出された各緊張度を合計する手順とを備えることを特徴とする緊張度解析プログラム。
【請求項１１】
メール及びスケジュール機能を有する携帯電話機において、
仕事用のスケジュール及びプライベート用のスケジュールを分けて保存するスケジュール部と、
仕事用の送受信メール及びプライベート用の送受信メールを分けて保存するメール部と、
キーワードに対してスケジュール緊張度及びメール緊張度を分け、前記スケジュール緊張度及びメール緊張度に対して仕事用のキーワードの緊張度をプラスとし、プライベート用のキーワードの緊張度をマイナスとして保存する緊張度キーワード辞書部と、
前記スケジュール部に保存されている仕事用のスケジュール及びプライベート用のスケジュールと前記緊張度キーワード辞書部に保存されているキーワードをパターンマッチで比較して照合し、照合したキーワードに対する緊張度を算出するスケジュール・緊張度キーワード照合部と、
前記メール部に保存されている仕事用の送受信メール及びプライベート用の送受信メールの各メール文を形態素解析し、形態素解析された仕事用の送受信メール及びプライベート用の送受信メールの各メール文と前記緊張度キーワード辞書部に保存されているキーワードをパターンマッチで比較して照合し、照合したキーワードに対する緊張度を算出する緊張度キーワード・メール照合部と、
前記メール部に保存されている仕事用の送受信メール及びプライベート用の送受信メールの各メール文を形態素解析し、形態素解析された仕事用の送受信メール及びプライベート用の送受信メールの各メール文と前記スケジュール部に保存されている仕事用のスケジュール及びプライベート用のスケジュールをそれぞれパターンマッチで比較して照合し、照合したキーワードに対する緊張度を算出するスケジュール・メール照合部と、
前記スケジュール・緊張度キーワード照合部、前記緊張度キーワード・メール照合部及びスケジュール・メール照合部のそれぞれで算出された緊張度を合計する緊張度スコア算出・統合部とを備えることを特徴とする携帯電話機。
【請求項１２】
２種類の電話番号、２種類のメールアドレスを同時に使用でき仕事とプライベートの電話番号、仕事とプライベートのメールアドレスを使い分けている状態で、２種類のスケジュールを利用して仕事とプライベートのスケジュールを使い分けるようにし、仕事の使用に対しては緊張度を上げ、プライベートの使用に対しては緊張度を下げるようにすることを特徴とする、請求項１１に記載の携帯電話機。
【発明の詳細な説明】
【技術分野】
【０００１】
本発明はメール及びスケジュール機能を有する通信端末に関する。特に、本発明は、日常的に使用するメール及びスケジュールの情報からユーザの緊張度（精神的ストレス）を算出する通信端末の緊張度解析装置、方法、プログラム及び携帯電話機に関する。
【背景技術】
【０００２】
ストレス社会と呼ばれる現在にあって、各個人の緊張度（精神的ストレス）を検出する必要性が高まっている。緊張度を検出する手段として、心拍間隔、心電図、及び脳波を利用する等の方法がある。これらは緊張度を正確に検出するためには効果を挙げるが、病院のように測定器具が揃っている環境でなければ実現不可能であり、非常に手間がかかる。
このため、普段利用している通信端末、特に携帯通信端末の中の情報を利用してユーザが意識せずに緊張度を検出することができれば手間がかからないという課題がある。
【０００３】
このように、携帯通信端末の情報を利用する従来技術には以下のようなものがある。
従来、受信メールを表示している際に、関係するキーワードを自動登録することにより、受信メールに関連する過去の電子メールをワンクリックで選択するため、携帯電話機が電子メールを受信すると受信メールが表示部に表示され、そして、登録手段が、表示部に表示されている受信メールのキーワードを記憶部へ自動登録し、ユーザが、表示部に表示されている受信メールに関連する過去の送信メールや受信メールを検索すると検索手段が記憶部に登録されているキーワードを自動検索しこれによって画面に表示されているソフトウエアボタンをワンクリックするだけで、過去の電子メールより所望の検索対象メールを検索することができ、検索対象メールは、検索メール表示制御手段によって表示部に表示され、受信メールと検索対象メールは、ソフトウエアボタンをワンクリックするだけで表示切換えができるものがある（例えば、特許文献１参照）。
【０００４】
しかしながら、上記特許文献１では、受信メールを表示している際に、関係するキーワードを自動登録することにより、受信メールに関連する過去の電子メールをワンクリックで選択して過去の電子メールの情報を利用するものであるが、前述のように、携帯通信端末の情報を利用してユーザの緊張度を検出するものではない。
また、従来、本発明は携帯通信機にストレス状態を測定する機能を備え、いつでもどこでも手軽にストレス度合いを測定したりリラックス情報にアクセスしストレスの解消ができるようにしたりするものであり、携帯通信機のストレス測定手段は利用者の生理データからストレス度合いを測定し携帯通信機の表示部またはスピーカーから結果を提示するものもある（例えば、特許文献２参照）。
【０００５】
しかしながら、上記特許文献２では、携帯通信機にストレス状態を直接測定する機能を備えるので、携帯通信機の小型化に反し特定の携帯通信機に限定して適用することは可能であってもどの携帯通信機にも適用することは不可能である。
また、従来、スケジュール機能、アラーム機能、カレンダー機能の入力方法を簡素化するため、携帯電話では、入力手段としてのキー操作部を用いて日付を入力してから、カレンダー機能を呼び出すことができ、従って、使用者が意図する月のカレンダーの表示を容易にすることができ、更に、使用者が意図する日が暫定的に選択された状態で、カレンダーが表示され、また、呼び出す月の指定は、２桁、４桁または８桁の数字の入力により行うことが可能であり、使用者が意図する月の指定を容易且つ的確に行うことができるものもある。（例えば、特許文献３参照）。
【０００６】
しかしながら、上記特許文献３では、簡素化した方法でカレンダー機能を呼び出し呼び出したカレンダー情報を利用するものであるが、前述のように、携帯通信端末の情報を利用してユーザの緊張度を検出するものではない。
また、従来、用途に応じた着信態様の使い分けを確実に行うことができ、使用者の精神的ストレスを低減させることが可能な携帯電話機を提供するため、１台で複数の自局電話番号を使用可能な携帯電話機であって所定の着信態様で着信報知を行う着信報知手段と着信態様を複数の自局電話番号の各々に対して個別に設定可能とする着信態様設定手段と着信があったときの相手局電話番号が記憶されているか否かを判断する判断手段とを備え着信報知手段は着信があったときの相手局電話番号が電話番号記憶手段に記憶されていると判断手段が判断したことを受けて、着信態様設定手段により設定された着信態様で着信報知を行う一方、着信があったときの相手局電話番号が記憶されていないと判断手段が判断したことを受けて、着信態様設定手段により設定された着信態様以外の着信態様で着信報知を行うものもある（例えば、特許文献４参照）。
【０００７】
しかしながら、上記特許文献４では、用途に応じた着信態様の使い分けを確実に行うことができ、使用者の精神的ストレスを低減させるものであるが、前述のように、携帯通信端末の情報を利用してユーザの緊張度を検出するものではない。
また、従来、被験者の精神的ストレスを正確に評価するため、被験者の心電図又は脈波を計測する計測手段と、計測された心電図又は脈波から得られる時間波形のピーク間隔を算出して補間することにより心拍（ＲＲ）間隔または脈拍間隔の時間変動波形を生成する信号処理部と、心拍（ＲＲ）間隔または脈拍間隔の時間変動波形に基づいて心拍変動または脈拍変動に対応するパワースペクトルを生成するパワースペクトル生成手段と、前記パワースペクトルにおける０．２Ｈｚ以下の所定周波数帯域に対する平均パワー値および／または平均パワー周波数を算出する平均パワー算出手段２６と、前記平均パワー値および／または平均パワー周波数の変動に基づいて被験者の精神的ストレスを評価するストレス評価手段とを備えるものもある（例えば、特許文献５参照）。
【０００８】
しかしながら、上記特許文献５では、被験者が携帯可能で心電図又は脈波を計測し、被験者の精神的ストレスを評価するものであるが、前述のように、携帯通信端末の情報を利用してユーザの緊張度を検出するものではない。
また、従来、スケジュール機能に電子メール、カメラ撮影画像、インターネット上での閲覧情報等を貼付け可能とした携帯端末を提供するため、スケジュール機能に加えて、電子メール機能、カメラ撮影機能又はブラウザ機能を有する携帯端末において電子メール等の受信時又は送信時の電子メール、カメラ撮影時等のデータを使用者の選択により記憶部に記憶し前記スケジュール機能の起動時に月間カレンダ等の日付の指定により当該日付で記憶された電子メール、撮影画像等のデータを読み出し表示部に表示することを可能としスケジュール機能の未来の日時に電子メール等を貼り付けることをも可能とするものもある（例えば、特許文献６参照）。
【０００９】
しかしながら、上記特許文献６では、スケジュール機能の未来の日時に電子メール等を貼り付けることを可能とし、スケジュール、電子メールの情報を利用するものであるが、前述のように、携帯通信端末の情報を利用してユーザの緊張度を検出するものではない。
また、従来、簡便且つ容易に多くの単語の意味を知ることができる携帯端末装置、及び音声合成方法を提供するため、テキスト選択部は、ユーザがキー操作部を操作して表示部に表示されている文字列の一部を指定した場合に指定された文字列を選択し、テキスト変換部は、テキスト選択部が選択した文字列に単語が含まれている場合に、記憶部に記憶された辞書を検索してその単語の読み及び意味を取得し、その単語を読みに変換した上で音声合成部に出力して発音させ、辞書取得部は、記憶部の辞書に単語が登録されていない場合には、通信部を介して辞書がデータベース化してある不図示のサーバ装置と通信を行い、その単語の読み及び意味を取得するものもある（例えば、特許文献７参照）。
【００１０】
しかしながら、上記特許文献７では、文字列に含まれる単語の読み、意味に変換して音声合成を行うことにより、文字列の情報の利用を行うが、前述のように、携帯通信端末の情報を利用してユーザの緊張度を検出するものではない。
また、従来、副交感神経と交感神経の両方の変化から、精神的ストレスを正確に検出するため、精神的ストレス検査装置は、心拍間隔（ＲＲ間隔）の変動からストレスを検出し、精神的ストレス検査装置は、所定時間における心拍間隔の変動をフーリエ変換して得られるパワースペクトルから、特定周波数よりも高い高周波帯域の積分値（ＨＦpower）と、特定周波数よりも低い低周波帯域の積分値（ＬＦpower）を検出するパワースペクトル検出部と、このパワースペクトル検出部で検出された、ＨＦpowerと、ＬＦpower／ＨＦpowerを、ストレスを示すストレス指数に変換する変換部２と、ＨＦpowerから換算されたストレス指数と、ＬＦpower／ＨＦpowerから換算されたストレス指数とを加算する加算部と、加算部で加算されたストレス値からストレス度を表示する表示部とを備えるものもある（例えば、特許文献８参照）。
【００１１】
しかしながら、上記特許文献８では、精神的ストレスを検出するための精神的ストレス検査装置が開示されているが、前述のように、携帯通信端末の情報を利用してユーザの緊張度を検出するものではない。
【００１２】
【特許文献１】特開２００３−１０８４８６号公報
【特許文献２】特開２００３−１５３９０５号公報
【特許文献３】特開２００５−０３７３５９号公報
【特許文献４】特開２００５−２１０３０６号公報
【特許文献５】特開２００５−２１８５９５号公報
【特許文献６】特開２００５−２５０６０５号公報
【特許文献７】特開２００６−３３９９６５号公報
【特許文献８】特開２００７−１６７０９１号公報
【発明の開示】
【発明が解決しようとする課題】
【００１３】
したがって、本発明は上記問題点に鑑みて、携帯通信端末の情報を利用してユーザの緊張度を検出する緊張度解析装置を提供することを目的とする。
【課題を解決するための手段】
【００１４】
本発明は前記問題点を解決するために、メール及びスケジュール機能を有する通信端末の緊張度解析装置において、仕事用のスケジュール及びプライベート用のスケジュールを分けて保存するスケジュール部と、仕事用の送受信メール及びプライベート用の送受信メールを分けて保存するメール部と、キーワードに対してスケジュール緊張度及びメール緊張度を分け、前記スケジュール緊張度及びメール緊張度に対して仕事用のキーワードの緊張度をプラスとし、プライベート用のキーワードの緊張度をマイナスとして保存する緊張度キーワード辞書部と、前記スケジュール部に保存されている仕事用のスケジュール及びプライベート用のスケジュールと前記緊張度キーワード辞書部に保存されているキーワードをパターンマッチで比較して照合し、照合したキーワードに対する緊張度を算出するスケジュール・緊張度キーワード照合部と、前記メール部に保存されている仕事用の送受信メール及びプライベート用の送受信メールの各メール文を形態素解析し、形態素解析された仕事用の送受信メール及びプライベート用の送受信メールの各メール文と前記緊張度キーワード辞書部に保存されているキーワードをパターンマッチで比較して照合し、照合したキーワードに対する緊張度を算出する緊張度キーワード・メール照合部と、前記メール部に保存されている仕事用の送受信メール及びプライベート用の送受信メールの各メール文を形態素解析し、形態素解析された仕事用の送受信メール及びプライベート用の送受信メールの各メール文と前記スケジュール部に保存されている仕事用のスケジュール及びプライベート用のスケジュールをそれぞれパターンマッチで比較して照合し、照合したキーワードに対する緊張度を算出するスケジュール・メール照合部と、前記スケジュール・緊張度キーワード照合部、前記緊張度キーワード・メール照合部及びスケジュール・メール照合部のそれぞれで算出された緊張度を合計する緊張度スコア算出・統合部とを備えることを特徴とする緊張度解析装置を提供する。
【００１５】
さらに、前記緊張度キーワード辞書部に保存されるスケジュール緊張度の絶対値はメール緊張度の絶対値よりも大きくする。
さらに、前記スケジュール緊張度の絶対値は前記メール緊張度の絶対値の１０倍とする。
さらに、前記スケジュール・緊張度キーワード照合部では仕事用のスケジュールが間近に迫った場合には仕事用のスケジュールの緊張度を上げて緊張度を算出する。
【００１６】
さらに、間近に迫った仕事用のスケジュールは1週間以内の仕事のスケジュールとし、上げる緊張度の程度は２倍とする。
さらに、前記緊張度キーワード・メール照合部及び前記スケジュール・メール照合部では、仕事用の送受信メールが直近の場合には、仕事用の送受信メールに対して照合したキーワードに対する緊張度を上げる。
【００１７】
さらに、上げる緊張度の程度は２倍とする。
さらに、前記スケジュール部に対して、スケジュールの登録を行う時に、前記緊張度キーワード辞書部に対してキーワードとその緊張度を合わせて追加登録可能とする。
さらに、本発明は、メール及びスケジュール機能を有する通信端末の緊張度解析方法において、キーワードに対してスケジュール緊張度及びメール緊張度を分け、前記スケジュール緊張度及びメール緊張度に対して仕事用のキーワードの緊張度をプラスとし、プライベート用のキーワードの緊張度をマイナスとして保存する緊張度キーワード辞書部を形成する工程と、仕事用のスケジュール及びプライベート用のスケジュールを分けて保存する工程と、仕事用の送受信メール及びプライベート用の送受信メールを分けて保存する工程と、保存されている仕事用のスケジュール及びプライベート用のスケジュールと前記緊張度キーワード辞書部に保存されているキーワードをパターンマッチで比較して照合し、照合したキーワードに対する緊張度を算出する工程と、保存されている仕事用の送受信メール及びプライベート用の送受信メールの各メール文を形態素解析し、形態素解析された仕事用の送受信メール及びプライベート用の送受信メールの各メール文と前記緊張度キーワード辞書部に保存されているキーワードをパターンマッチで比較して照合し、照合したキーワードに対する緊張度を算出する工程と、保存されている仕事用の送受信メール及びプライベート用の送受信メールの各メール文を形態素解析し、形態素解析された仕事用の送受信メール及びプライベート用の送受信メールの各メール文と保存されている仕事用のスケジュール及びプライベート用のスケジュールをそれぞれパターンマッチで比較して照合し、照合したキーワードに対する緊張度を算出する工程と、算出された各緊張度を合計する工程とを備えることを特徴とする緊張度解析方法を提供する。
【００１８】
さらに、本発明は、メール及びスケジュール機能を有する通信端末の緊張度解析プログラムにおいて、キーワードに対してスケジュール緊張度及びメール緊張度を分け、前記スケジュール緊張度及びメール緊張度に対して仕事用のキーワードの緊張度をプラスとし、プライベート用のキーワードの緊張度をマイナスとして保存する緊張度キーワード辞書を形成する手順と、仕事用のスケジュール及びプライベート用のスケジュールを分けて保存する手順と、仕事用の送受信メール及びプライベート用の送受信メールを分けて保存する手順と、保存されている仕事用のスケジュール及びプライベート用のスケジュールと前記緊張度キーワード辞書に保存されているキーワードをパターンマッチで比較して照合し、照合したキーワードに対する緊張度を算出する手順と、保存されている仕事用の送受信メール及びプライベート用の送受信メールの各メール文を形態素解析し、形態素解析された仕事用の送受信メール及びプライベート用の送受信メールの各メール文と前記緊張度キーワード辞書に保存されているキーワードをパターンマッチで比較して照合し、照合したキーワードに対する緊張度を算出する手順と、保存されている仕事用の送受信メール及びプライベート用の送受信メールの各メール文を形態素解析し、形態素解析された仕事用の送受信メール及びプライベート用の送受信メールの各メール文と保存されている仕事用のスケジュール及びプライベート用のスケジュールをそれぞれパターンマッチで比較して照合し、照合したキーワードに対する緊張度を算出する手順と、算出された各緊張度を合計する手順とを備えることを特徴とする緊張度解析プログラムを提供する。
【００１９】
さらに、本発明は、メール及びスケジュール機能を有する携帯電話機において、仕事用のスケジュール及びプライベート用のスケジュールを分けて保存するスケジュール部と、仕事用の送受信メール及びプライベート用の送受信メールを分けて保存するメール部と、キーワードに対してスケジュール緊張度及びメール緊張度を分け、前記スケジュール緊張度及びメール緊張度に対して仕事用のキーワードの緊張度をプラスとし、プライベート用のキーワードの緊張度をマイナスとして保存する緊張度キーワード辞書部と、前記スケジュール部に保存されている仕事用のスケジュール及びプライベート用のスケジュールと前記緊張度キーワード辞書部に保存されているキーワードをパターンマッチで比較して照合し、照合したキーワードに対する緊張度を算出するスケジュール・緊張度キーワード照合部と、前記メール部に保存されている仕事用の送受信メール及びプライベート用の送受信メールの各メール文を形態素解析し、形態素解析された仕事用の送受信メール及びプライベート用の送受信メールの各メール文と前記緊張度キーワード辞書部に保存されているキーワードをパターンマッチで比較して照合し、照合したキーワードに対する緊張度を算出する緊張度キーワード・メール照合部と、前記メール部に保存されている仕事用の送受信メール及びプライベート用の送受信メールの各メール文を形態素解析し、形態素解析された仕事用の送受信メール及びプライベート用の送受信メールの各メール文と前記スケジュール部に保存されている仕事用のスケジュール及びプライベート用のスケジュールをそれぞれパターンマッチで比較して照合し、照合したキーワードに対する緊張度を算出するスケジュール・メール照合部と、前記スケジュール・緊張度キーワード照合部、前記緊張度キーワード・メール照合部及びスケジュール・メール照合部のそれぞれで算出された緊張度を合計する緊張度スコア算出・統合部とを備えることを特徴とする携帯電話機を提供する。
【００２０】
さらに、本発明は、２種類の電話番号、２種類のメールアドレスを同時に使用でき仕事とプライベートの電話番号、仕事とプライベートのメールアドレスを使い分けている状態で、２種類のスケジュールを利用して仕事とプライベートのスケジュールを使い分けるようにし、仕事の使用に対しては緊張度を上げ、プライベートの使用に対しては緊張度を下げるようにする。
【発明の効果】
【００２１】
以上説明したように、本発明によれば、キーワードに対してスケジュール緊張度及びメール緊張度を分け、スケジュール緊張度及びメール緊張度に対して仕事用のキーワードの緊張度をプラスとし、プライベート用のキーワードの緊張度をマイナスとして保存する緊張度キーワード辞書部を形成し、仕事用のスケジュール及びプライベート用のスケジュールを分けて保存し、仕事用の送受信メール及びプライベート用の送受信メールを分けて保存し、保存されている仕事用のスケジュール及びプライベート用のスケジュールと緊張度キーワード辞書部に保存されているキーワードをパターンマッチで比較して照合し、照合したキーワードに対する緊張度を算出し、保存されている仕事用の送受信メール及びプライベート用の送受信メールの各メール文を形態素解析し、形態素解析された仕事用の送受信メール及びプライベート用の送受信メールの各メール文と緊張度キーワード辞書部に保存されているキーワードをパターンマッチで比較して照合し、照合したキーワードに対する緊張度を算出し、保存されている仕事用の送受信メール及びプライベート用の送受信メールの各メール文を形態素解析し、形態素解析された仕事用の送受信メール及びプライベート用の送受信メールの各メール文と保存されている仕事用のスケジュール及びプライベート用のスケジュールをそれぞれパターンマッチで比較して照合し、照合したキーワードに対する緊張度を算出し、算出された各緊張度を合計するようにしたので、従来では緊張度を検出する手段の多くは心拍間隔等の測定結果を利用するため手間がかかるが、本発明によれば、普段利用している携帯電話機等の通信端末の中の情報を利用するため手間がかからない。
【００２２】
さらに、従来では緊張度を検出する手段の多くは被験者が能動的に検査を受けに行く必要があるが、本発明によれば、既に携帯電話機等の通信端末の中にある情報利用するためユーザが意識しないで受動的に緊張度を検出することが可能になる。
さらに、従来では緊張度を検出手段の多くは被験者のある時点における心拍間隔等の測定結果を利用するためその時点に限定した検出結果となるが、本発明によれば、携帯電話機等の中に保存されている過去のメールとスケジュールの内容も利用するため、長期的なスパンで分析した検出結果を得ることが可能となる。
【発明を実施するための最良の形態】
【００２３】
以下、本発明の実施の形態について図面を参照して説明する。
図１は本発明に係る緊張度解析装置の概略構成を示すブロック図である。本図に示す緊張度解析装置１００は携帯電話機を含む通信端末に設けられ、入力装置１０１、記憶部１０２、処理部１０３、出力装置１０４からなり、日常的に使用する通信端末のメール及びスケジュールの情報から通信端末のユーザの緊張度（精神的ストレス）を算出するプログラムで動作する。
【００２４】
ここに、入力装置１０１は通信端末のデジットキーのような入力手段であり、スケジュールの登録操作、送信すべきメールの入力操作を行う機能等を有する。
記憶部１０２は通信端末の記憶手段であり、スケジュール部１２１、緊張度キーワード辞書部１２２及びメール部１２３からなる。
スケジュール部１２１は通信端末の内部に登録済みのスケジュールのデータを保存し、特に、仕事用のスケジュール（予定）及びプライベート用（私用）のスケジュールを分けて保存する機能を有する。
【００２５】
緊張度キーワード辞書部１２２はキーワード（ある言葉）と緊張度のスコアから構成される辞書機能である。
メール部１２３は通信端末の内部に送受信メールを保存し、特に、仕事用の送受信メール及びプライベート用の送受信メールを分けて保存する機能を有する。
処理部１０３は通信端末のＣＰＵ（中央演算処理装置）であり、緊張度スコア算出・統合部１３１、スケジュール・緊張度キーワード照合部１３２、スケジュール・メール照合部１３３及び緊張度キーワード・メール照合部１３４からなり、通信端末の中に保存されているスケジュールの内容、送受信メール、及びキーワードと緊張度のスコアから構成される辞書を利用して、通信端末のユーザの緊張度を自動的に検出処理する。
【００２６】
スケジュール・緊張度キーワード照合部１３２は記憶部１０２のスケジュール部１２１に保存されているスケジュールと緊張度キーワード辞書部１２２に保存されている辞書をパターンマッチで照合してある時点における緊張度を算出する。すなわち、スケジュール・緊張度キーワード照合部１３２では、算出パラメータとして、そのスケジュールが間近に迫っている場合には算出された緊張度を上げ、まだ時間的に余裕がある場合には算出された緊張度を下げる。さらに、仕事のスケジュールは緊張度を上げ、プライベートのスケジュールは緊張度を下げると想定する。
【００２７】
スケジュール・メール照合部１３３はスケジュール部１２１に保存されているスケジュールとメール部１２３に保存されているメールを利用して緊張度を算出する。すなわち、スケジュール・メール照合部１３３では、メール部１２３に保存されているメール文を形態素解析した結果とスケジュール部１２１の保存されているスケジュールの内容をパターンマッチで比較し、保存されているメールとスケジュールが関連するか否かを照合し、照合する場合に緊張度を算出する。
【００２８】
なお、メールが複数のスケジュールに照合する場合は、最も近いものに適合させる。
さらに、保存されている仕事用のメールの送受信が直近に行われている場合には算出された緊張度を上げる。
緊張度キーワード・メール照合部１３４はメール部１２３に保存されているメールと緊張度キーワード辞書部１２２を利用して緊張度を算出する。緊張度キーワード・メール照合部１３４ではメール文を形態素解析した結果と緊張度キーワード辞書部１２２に保存された辞書をパターンマッチで比較して、緊張度キーワード辞書部１２２の辞書と該当メールが関連するか否かを照合し、照合する場合には緊張度を算出する。
【００２９】
前述と同様に、メールが複数のキーワードに照合する場合は、最も近いものに適合させる。
さらに、保存されている仕事用のメールの送受信が直近に行われている場合には算出された緊張度を上げる。
緊張度スコア算出・統合部１３１はスケジュール・緊張度キーワード照合部１３２、スケジュール・メール照合部１３３及び緊張度キーワード・メール照合部１３４の各々で算出された緊張度を統合して緊張度を自動的に算出する。
【００３０】
出力装置１０４は処理部１０３から緊張度スコア算出・統合部１３１で統合された緊張度を受け取り、出力し、ユーザに提示可能にする。
図２は図１における記憶部１０２のスケジュール部１２１に保存されるスケジュールの例の概略を説明する図である。本図（ａ）に示すように、スケジュール部１２１には、例えば、ある月の第２週の金曜日に仕事用のスケジュール１として「報告」が保存され、本図（ｂ）に示すように、スケジュール部１２１には、例えば、前述と同じ月の第３週の土曜日にプライベート（私用）のスケジュールとして「結婚式」が保存されているとする。
【００３１】
図３は図１における記憶部１０２のメール部１２３に保存されるメールの例の概略を説明する図である。本図（ａ）に示すように、メール部１２３には、仕事用のメール１として、例えば、
「Ａ１１（受信のメール文）、報告書は出来ましたか？
Ｂ１１（送信のメール文）、申し訳ありませんが、報告書に訂正が生じ、もう少し時間をください。
Ａ１２、報告書の配布の期限が近づいているので急いでください。
Ｂ１２、了解しました。出来しだい報告書を届けます。
Ａ１３、田中さんがどこにいるか知っていますか？
Ｂ１３、すみませんが昨日から田中さんには会っていないので知りません。」
等が保存され、本図（ｂ）に示すように、メール部１２３には、プライベート用のメール２として、例えば、
「Ａ２１、結婚式の準備は出来た？
Ｂ２１、結婚式の引出物の手配はしたし、もうほとんど完了したよ。
Ａ２２、結婚式の当日は楽しみにしています。
Ｂ２２、こちらこそ。結婚式でお会いしましよう。」
等が保存されているとする。
ここに、Ａ１１、Ａ１２、Ａ１３、Ａ２１、Ａ２２は受信メールのメール文であり、Ｂ１１、Ｂ１２、Ｂ１３、Ｂ２１、Ｂ２２は送信メールのメール文である。
【００３２】
図４は図１における記憶部１０２の緊張度キーワード辞書部１２２に保存される辞書の概略を説明する図である。本図に示すように、緊張度キーワード辞書部１２２にはキーワードに関しメールに対する緊張度、スケジュールに対する緊張度、スケジュール・メールに対する緊張度が保存される。スケジュールに対する緊張度はメールに対する緊張度に対して大きく、例えば、１０倍に設定される。
緊張度キーワード辞書部１２２には、一例として、キーワード「会議」、「幹部会議」、「申し訳ありません」、「急いで」、「報告」、「楽しみ」、「結婚式」、「葬式」等に対して、メールに対する緊張度のスコア「１０」、「２０」、「１０」、「１０」、「１０」、「−１０」、「−１０」、「１０」等がそれぞれ保存され、さらに、キーワード「会議」、「幹部会議」、「報告」、「結婚式」、「葬式」等に対して、スケジュールに対する緊張度のスコア「１００」、「２００」、「１００」、「−１００」、「１００」等がそれぞれ保存され、さらに、スケジュール・メールに対する緊張度のスコア「１０」、「２０」、「１０」、「−１０」、「１０」等がそれぞれ保存される。
【００３３】
前述のように、仕事のスケジュールは緊張度を上げ、プライベートのスケジュールは緊張度を下げると想定するので、仕事に関連するキーワードに対して緊張度のスコアはプラスであり、プライベートに関連するキーワードに対して緊張度のスコアはマイナスとし、プライベートに関連するキーワードでも不幸な事象に関するものは緊張度のスコアをプラスにする。
【００３４】
図５は図１における処理部１０３の概略処理を説明する図である。図２の（１）の時点の緊張度の処理例では、本図（ａ）に示すように、スケジュール・緊張キーワード照合部１３２では、図１に示すスケジュール部１２１のスケジュールと図４に示す緊張度キーワード辞書部１２２の辞書のパターンマッチで比較することにより、仕事用のスケジュール１に「報告」のスケジュールが１件、プライベート用のスケジュール２に「結婚式」のスケジュールが１件あると照合が行われる。
【００３５】
この照合で、「報告」のスケジュールに対する緊張度は「１００」であり、「結婚式」のスケジュールに対する緊張度は「−１００」となる。
スケジュール・緊張度キーワード照合部１３２では、緊張度のスコアを「報告」の緊張度のスコア「１００」−「結婚式」の緊張度のスコア「−１００」＝合計「０」と算出する。
【００３６】
なお、「報告」のスケジュールが図２の（１）時点から１週間以内で間近に迫っているスケジュールである場合には、「報告」のスケジュールの緊張度は照合で算出した「１００」を２倍に上げて「２００」とする。
この場合、スケジュール・緊張キーワード照合部１３２では、緊張度のスコアを「報告」の緊張度のスコア「２００」−「結婚式」の緊張度のスコア「−１００」＝合計「１００」と算出する。本図（ａ）には後者を図示している。
【００３７】
このようにして、スケジュールからユーザの緊張度を解析する。
本図（ｂ）に示すように、緊張度キーワード・メール照合部１３４では緊張度キーワードとメールの照合によって緊張度のスコアが算出される。
先ず、緊張度キーワード・メール照合部１３４は図３のメール１（仕事）及びメール２（プライベート）について、形態素解析を行う。一例として、図３のメール１のメール文「Ａ１１、報告書は出来ましたか？」について形態素解析を以下のように行う。
【００３８】
形態素    読み      原形    活用表
報告      ホウコク  報告    名詞−サ変接続
書        ショ      書      名詞−接尾−一般
は        ハ        は      助詞−係助詞
でき      デキ      できる  動詞−自立  一般  連用形
まし      マシ      ます    助動詞−特殊・マス  連用形
た        タ        た      助動詞−特殊・タ    基本形
か        カ        か      助詞−副助詞／並立助詞／終助詞
？        ？        ？      記号一般
【００３９】
なお、Ａ１１以外の他のメール文についても同様に形態素解析を行うが、他のメール文の説明は省略する。
このように形態素解析されたメール１（仕事）及びメール２（プライベート）の結果と図４の緊張度キーワード辞書をパターンマッチで比較し、図５（ｂ）に示すように、メール文Ｂ１１、Ａ１２、Ａ２２でキーワード「申し訳ありません」、「急いで」、「楽しみ」がそれぞれ照合したとすると、仕事のメール文Ｂ１１、Ａ１２のメールに対する緊張度のスコアはそれぞれ「１０」、「１０」となり、プライベートのメール文Ａ２２のメールに対する緊張度のスコアは「−１０」となる。他のメール文は照合しないのでメールに対する緊張度のスコアは「０」である。
【００４０】
なお、保存されているメール１（仕事）の送受信が1週間以内の直近に行われている場合には仕事のメール文Ｂ１１、Ａ１２のメールに対する緊張度のスコア「１０」、「１０」をそれぞれ２倍に上げて、「２０」、「２０」とする。
緊張度キーワード・メール照合部１３４では、前述の緊張度のスコアを合計し、合計の緊張度を「３０」と算出する。
【００４１】
このようにして、メールからユーザの緊張度を解析する。
本図（ｃ）に示すように、スケジュール・メール照合部１３３ではスケジュールとメールの照合によって緊張度のスコアが算出される。
なお、メールの形態素解析は前述と同様であるので説明を省略する。
形態素解析されたメール１（仕事）及びメール２（プライベート）の結果と図２のスケジュールをパターンマッチで比較し、メール文にスケジュールが含まれている場合には照合したとする。
【００４２】
この場合では、メール文Ａ１１、Ｂ１１、Ａ１２、Ｂ１２でキーワード「報告」がそれぞれ照合し、メール文Ａ２１、Ｂ２１、Ａ２２、Ｂ２２でキーワード「結婚式」がそれぞれ照合し、仕事のメール文Ａ１１、Ｂ１１、Ａ１２、Ｂ１２のスケジュール・メールに対する緊張度のスコアはそれぞれ「１０」、「１０」、「１０」、「１０」となり、プライベートのメール文Ａ２１、Ｂ２１、Ａ２２、Ｂ２２のスケジュール・メールに対する緊張度はそれぞれ「−１０」、「−１０」、「−１０」、「−１０」となる。他のメール文は照合しないので緊張度のスコアは「０」である。
【００４３】
なお、保存されているメール１（仕事）の送受信が１週間以内の直近に行われている場合には仕事のメール文Ａ１１、Ｂ１１、Ａ１２、Ｂ１２のスケジュール・メールに対する緊張度のスコア「１０」、「１０」、「１０」、「１０」をそれぞれ２倍に上げて「２０」、「２０」、「２０」、「２０」とする。
スケジュール・メール照合部１３３では、前述の緊張度のスコアを合計し、合計の緊張度を「４０」と算出する。
【００４４】
このようにして、メールに含まれるスケジュールからユーザの緊張度を解析する。スケジュールの当日だけでなく、その前のスケジュールの準備に対しても緊張度を考慮可能とするためである。
なお、緊張度スコア算出・統合部１３１では、スケジュール・緊張度キーワード照合部１３２、スケジュール・メール照合部１３３及び緊張度キーワード・メール照合部１３４でそれぞれ算出された緊張度を１００＋３０＋４０＝１７０と合計し、緊張度を算出する。
【００４５】
図６は図５の別の例であり、図１における処理部１０３の概略処理を説明する図である。図２の（２）の時点の緊張度の処理例では、本図（ａ）に示すように、スケジュール・緊張キーワード照合部１３２では、図２に示すスケジュール部１２１のスケジュールと図４に示す緊張度キーワード辞書部１２２の辞書のパターンマッチで比較することにより、仕事用のスケジュール１に「報告」のスケジュールが１件、プライベート用のスケジュール２に「結婚式」のスケジュールが１件あると照合が行われる。
【００４６】
この照合で、「報告」のスケジュールに対する緊張度は「１００」であり、「結婚式」のスケジュールに対する緊張度は「−１００」となる。
スケジュール・緊張キーワード照合部１３２では、緊張度のスコアを「報告」の緊張度のスコア「１００」−「結婚式」の緊張度のスコア「−１００」＝合計「０」と算出する。
【００４７】
なお、「報告」のスケジュールは図２の（２）時点から１週間以内であるが、既に経過して過去になっているので、「報告」のスケジュールの緊張度は「１００」のままとする。
このようにして、スケジュールからユーザの緊張度を解析する。
本図（ｂ）に示すように、緊張度キーワード・メール照合部１３４では緊張度キーワードとメールの照合によって緊張度のスコアが算出される。
【００４８】
前述のように形態素解析されたメール１（仕事）及びメール２（プライベート）の結果と図４の緊張度キーワード辞書をパターンマッチで比較し、図６（ｂ）に示すように、メール文Ｂ１１、Ａ１２、Ａ２２でキーワード「申し訳ありません」、「急いで」、「楽しみ」がそれぞれ照合したとすると、仕事のメール文Ｂ１１、Ａ１２のメールに対する緊張度のスコアは「１０」、「１０」となり、プライベートのメール文Ａ２２のメールに対する緊張度のスコアは「−１０」となる。他のメール文は照合しないので緊張度のスコアは「１０」である。
【００４９】
この場合、保存されているメール１（仕事）の送受信が直近に行われていなく、１週間以上前にされているとし、このため、メールに対する緊張度を上げる処理はおこなわれない。
緊張度キーワード・メール照合部１３４では、前述の緊張度のスコアを合計し、合計の緊張度を「１０」と算出する。
このようにして、メールからユーザの緊張度を解析する。
本図（ｃ）に示すように、スケジュール・メール照合部１３３ではスケジュールとメールの照合によって緊張度のスコアが算出される。
【００５０】
形態素解析されたメール１（仕事）及びメール２（プライベート）の結果と図２のスケジュールをパターンマッチで比較し、メール文にスケジュールが含まれている場合には照合したとする。
この場合では、メール文Ａ１１、Ｂ１１、Ａ１２、Ｂ１２でキーワード「報告」がそれぞれ照合し、メール文Ａ２１、Ｂ２１、Ａ２２、Ｂ２２でキーワード「結婚式」がそれぞれ照合し、仕事のメール文Ａ１１、Ｂ１１、Ａ１２、Ｂ１２のスケジュール・メールに対する緊張度のスコアはそれぞれ「１０」、「１０」、「１０」、「１０」となり、プライベートのメール文Ａ２１、Ｂ２１、Ａ２２、Ｂ２２のスケジュール・メールに対する緊張度のスコアはそれぞれ「−１０」、「−１０」、「−１０」、「−１０」となる。他のメール文は照合しないので緊張度のスコアは「０」である。
【００５１】
この場合、保存されているメール１（仕事）の送受信が直近に行われていなく、１週間以上前にされているとし、このため、メールに対する緊張度を上げる処理はおこなわれない。
スケジュール・メール照合部１３３では、前述の緊張度のスコアを合計し、合計の緊張度を「０」と算出する。
このようにして、メールに含まれるスケジュールからユーザの緊張度を解析する。スケジュールの当日だけでなく、その前のスケジュールの準備に対しても緊張度を考慮可能とするためである。
【００５２】
なお、緊張度スコア算出・統合部１３１では、スケジュール・緊張度キーワード照合部１３２、スケジュール・メール照合部１３３及び緊張度キーワード・メール照合部１３４でそれぞれ算出された緊張度を０＋１０＋０＝１０と合計し、緊張度を算出する。
図７は図１における緊張度解析装置１００の一連の動作を説明するフローチャートである。本図に示すように、ステップＳ２０１において、スケジュール・緊張度キーワード照合部１３２はスケジュール部１２１からのスケジュールと緊張度キーワード辞書部１２２のキーワードをパターンマッチで比較し照合を行う。
【００５３】
ステップＳ２０２において、仕事のスケジュール、プライベートのスケジュールの照合があったか否かの判断を行う。照合がない場合にはＳ２０４に進む。
ステップＳ２０３において、照合があった場合には、照合があったキーワードから仕事のスケジュール及びプライベートのスケジュールに対する緊張度のスコアを合計する。なお、緊張度のスコアを合計する際には仕事のスケジュールが間近に迫っている場合には仕事のスケジュールの緊張度のスコアを上げて合計を行う。
【００５４】
ステップＳ２０４において、スケジュール・メール照合部１３３ではメール部１２３からのメールの形態素解析を行う。
ステップＳ２０５において、スケジュール部１２１からのスケジュールと形態素解析されたメール文の各々をパターンマッチで比較し照合を行う。
ステップＳ２０６において、メール文の全てに照合があるか否かの判断を行う。照合がない場合はステップＳ２０８に進む。
【００５５】
ステップＳ２０７において、照合があった場合には、照合があったメール文に関しスケジュール・メールに対する緊張度のスコアを合計する。
ステップＳ２０８において、緊張度キーワード・メール照合部１３４では、緊張度キーワード辞書部１２２のキーワードとメール部１２３からのメールをパターンマッチで比較し照合を行う。
【００５６】
ステップＳ２０９において、メール文の全てにキーワードの照合があるか否かの判断を行う。照合がない場合はステップＳ２１１に進む。
ステップＳ２１０において、照合があった場合には、照合があったキーワードに関しメールに対する緊張度のスコアを合計する。
ステップＳ２１１において、緊張度スコア算出・統合部１３１では、ステップＳ２０３、２０７及び２１０で合計された緊張度のスコアを合計する。
【００５７】
したがって、従来では緊張度を検出する手段の多くは心拍間隔等の測定結果を利用するため手間がかかるが、本発明によれば、普段利用している携帯電話機等の通信端末の中の情報を利用するため手間がかからない。
さらに、従来では緊張度を検出する手段の多くは被験者が能動的に検査を受けに行く必要があるが、本発明によれば、既に携帯電話機等の通信端末の中にある情報利用するためユーザが意識しないで受動的に緊張度を検出することが可能になる。
【００５８】
さらに、従来では緊張度を検出手段の多くは被験者のある時点における心拍間隔等の測定結果を利用するためその時点に限定した検出結果となるが、本発明によれば、携帯電話機等の中に保存されている過去のメールとスケジュールの内容も利用するため、長期的なスパンで分析した検出結果を得ることが可能となる。
【実施例１】
【００５９】
本発明では、日常的に使用する携帯電話機を含む通信端末のメールとスケジュールの情報からユーザの緊張度（精神的なストレス）のスコアを算出して提示する緊張度解析装置を提案したが。この緊張度解析装置をパーソナルコンピュータ、インターネットのホームページ（ＨＰ）のように、メーラ、スケジューラを装備した機構に対して実施しても同様の作用効果が得られる。
【実施例２】
【００６０】
本発明では、通信端末として、２種類の電話番号、２種類のメールアドレスを同時に使用できる携帯電話機を利用して仕事とプライベートの電話番号、仕事とプライベートのメールアドレスを使い分けている状態で、２種類のスケジュールを利用して仕事とプライベートのスケジュールを使い分けるようにし、仕事の使用に対しては緊張度を上げ、プライベートの使用に対しては緊張度を下げるようにしてもよい。
【００６１】
なお、図１のスケジュール部１２１に対して、図２に示すように、スケジュールの登録を行う時に、図１の緊張度キーワード辞書部１２２に対して図４に示すように、キーワードとその緊張度を合わせて追加登録可能とするようにしてもよい。より柔軟性の高い緊張度のスコアを検出することが可能になる。
【産業上の利用可能性】
【００６２】
以上、通信端末として携帯電話機について説明したが、これに限らず、ＰＨＳ（簡易型携帯電話機）、ＰＤＡ（携帯端末装置）に対しても本発明の利用が可能である。
【図面の簡単な説明】
【００６３】
【図１】本発明に係る緊張度解析装置の概略構成を示すブロック図である。
【図２】図１における記憶部１０２のスケジュール部１２１に保存されるスケジュールの例の概略を説明する図である。
【図３】図１における記憶部１０２のメール部１２３に保存されるメールの例の概略を説明する図である。
【図４】図１における記憶部１０２の緊張度キーワード辞書部１２２に保存される辞書の概略を説明する図である。
【図５】図１における処理部１０３の概略処理を説明する図である。
【図６】図５の別の例であり、図１における処理部１０３の概略処理を説明する図である。
【図７】図１における緊張度解析装置１００の一連の動作を説明するフローチャートである。
【符号の説明】
【００６４】
１００…緊張度解析装置
１０１…入力装置
１０２…記憶部
１０３…処理部
１０４…出力装置
１２１…スケジュール部
１２２…緊張度キーワード辞書部
１２３…メール部
１３１…緊張度スコア算出・統合部
１３２…スケジュール・緊張度キーワード照合部
１３３…スケジュール・メール照合部
１３４…緊張度キーワード・メール照合部
【図１】
2009110308.tif 000003
【図２】
2009110308.tif 000004
【図３】
2009110308.tif 000005
【図４】
2009110308.tif 000006
【図５】
2009110308.tif 000007
【図６】
2009110308.tif 000008
【図７】
2009110308.tif 000009